(57)【要約】【課題】本発明は除湿装置に関するものであり、除湿能力を高めることを目的とするものである。【解決手段】そしてこの目的を達成するために本発明は、吸気口１と排気口２を有する本体ケース３内に、除湿体４と熱交換器５を備え、この除湿体４は放湿部６と吸湿部７からなる除湿ロータ８を回動自在にロータケース９内に設け、吸気口１から、吸湿部７と熱交換器５を別経路で介し、排気口２へと送風する送風手段と、放湿部６と熱交換器５を循環送風する循環送風手段と、熱交換器５から吸湿部７への循環送風される循環風路に加熱手段１５と、押さえ部材１９は放湿部６の風下側で、外周枠部材１６と軸受け部１８に固定される固定部と、ロータ１７を保持する保持部とを設け、除湿ロータ８の回転時に、ロータケース９の放湿部６の風下側に設けられた放湿通風孔１０と吸湿通風孔１１とを仕切る２本の仕切り部２７に、固定部の近傍を最初に接触させるものである。【選択図】図１
2009240937.tif 000002
【特許請求の範囲】
【請求項１】
吸気口と排気口を有する本体ケースと、この本体ケース内に設けられた除湿体と熱交換手段とを備え、前記除湿体は、放湿部と吸湿部からなる除湿ロータを回動自在にロータケース内に設け、前記除湿ロータは、円環状の外周枠部材と、この外周枠部材内に設けた円盤状のロータと、この中心部分に設けた円筒状の軸受け部と、この軸受け部と前記外周枠部材に前記ロータを押さえるごとく設けた押さえ部材とより構成し、前記除湿ロータの回転時に、前記押さえ部材の前記外周枠部材への固定部近傍と、前記軸受け部への固定部近傍の少なくとも一方は、これら両固定部間の前記押さえ部材よりも早く、前記ロータケースの前記放湿部と前記吸湿部とを仕切る仕切り部に接触させる除湿装置。
【請求項２】
吸気口と排気口を有する本体ケースと、前記本体ケース内に設けられたヒートポンプとを備え、このヒートポンプは、圧縮機と、この圧縮機の下流に順次設けた放熱器、膨張手段、吸熱器とにより形成し、前記吸気口から前記本体ケース内に吸気した空気を前記放熱器、前記吸熱器を順次介して前記排気口へと送風する送風手段を設けると共に、前記放熱器と前記吸熱器の間に除湿体を設け、この除湿体は放湿部と吸湿部からなる除湿ロータを回動自在にロータケース内に設け、前記除湿ロータは、円環状の外周枠部材と、この外周枠部材内に設けた円盤状のロータと、この中心部分に設けた円筒状の軸受け部と、この軸受け部と前記外周枠部材に前記ロータを押さえるごとく設けた押さえ部材とにより構成し、前記除湿ロータの回転時に、前記押さえ部材の前記外周枠部材への固定部近傍と、前記軸受け部への固定部近傍の少なくとも一方は、これら両固定部間の前記押さえ部材よりも早く、前記ロータケースの前記放湿部と前記吸湿部とを仕切る仕切り部に接触させる除湿装置。
【請求項３】
押さえ部材は、直線状の板材である保持部の両端に前記外周枠部材との外周枠固定部と、前記軸受け部との軸受け固定部とを備え、前記除湿ロータの回転時に、前記ロータケースの前記放湿部の風下側に設けられた中心から半径方向に延びた仕切り部に、中心部分である前記軸受け固定部の近傍が最初に接触し、徐々に中心部分から外周部分の前記外周枠固定部の近傍に接触するか、または、外周部分である前記外周枠固定部の近傍が最初に接触し、徐々に外周部分から中心部分の前記軸受け部の近傍へ接触するように保持部の長手方向の中心線が除湿ロータの中心から所定の距離を有している請求項１〜２のいずれか一つに記載の除湿装置。
【請求項４】
押さえ部材は、板材である保持部の両端に前記外周枠部材との外周枠固定部と、前記軸受け部との軸受け固定部とを備え、前記除湿ロータの回転時に、前記ロータケースの前記放湿部の風下側に設けられた中心から半径方向に延びた仕切り部に、中心部分である前記軸受け部の近傍と、外周部分である前記外周枠固定部の近傍が最初に接触し、徐々に中心部分と外周部分から、中心部分と外周部分の中間部分へ接触するよう保持部が湾曲した形状である請求項１〜２のいずれか一つに記載の除湿装置。
【請求項５】
押さえ部材は、中心部分に前記軸受け部との軸受け固定部を、両端に前記外周枠部材との外周枠固定部を備え、軸受け固定部から両端の外周枠固定部との間に直線状の板材である保持部を設け、前記除湿ロータの回転時に、前記ロータケースの前記放湿部の風下側に設けられた中心から半径方向に延びた仕切り部に、中心部分である軸受け固定部の近傍が最初に接触し、徐々に中心部分から外周部分である外周枠固定部の近傍へ接触するか、または、外周部分である外周枠固定部の近傍が最初に接触し、徐々に外周部分から中心部分である軸受け固定部の近傍へ接触するように、前記保持部の長手方向の中心線が除湿ロータの中心から所定の距離を有した形状である請求項１〜２のいずれか一つに記載の除湿装置。
【請求項６】
押さえ部材は、中心部分に前記軸受け部との軸受け固定部を、両端に前記外周枠部材との外周枠固定部を備え、軸受け固定部から両端の外周枠固定部との間に板材である保持部を設け、前記除湿ロータの回転時に、前記ロータケースの前記放湿部の風下側に設けられた中心から半径方向に延びた２本の仕切り部に、中心部分である軸受け固定部近傍と外周部分である外周枠固定部が最初に接触し、徐々に中心部分と外周部分から中心部分と外周部分の中間部分へ接触するように前記保持部が中心部から両端に向かって湾曲した形状である請求項１〜２のいずれか一つに記載の除湿装置。
【請求項７】
押さえ部材は、前記ロータに接触する面に打ち抜きバリを対向して配置した請求項１〜６のいずれか一つに記載の除湿装置。
【請求項８】
押さえ部材は、前記外周枠部材の外周外側から中心方向に向かってねじによって固定され、このねじの先端部分がロータに入り込んだ請求項１〜７のいずれか一つに記載の除湿装置。
【請求項９】
押さえ部材は、前記軸受け部にねじによって固定され、このねじと押さえ部材の材質はステンレスである請求項１〜８のいずれか一つに記載の除湿装置。
【請求項１０】
押さえ部材の材質は、ばね材である請求項１〜９のいずれか一つに記載の除湿装置。
【発明の詳細な説明】
【技術分野】
【０００１】
本発明は、例えば衣類乾燥用として用いられる除湿装置に関する。
【背景技術】
【０００２】
従来のこの種の除湿装置の構成は以下のようになっていた。
【０００３】
すなわち、吸気口と排気口を有する本体ケースと、この本体ケース内に設けられた除湿体と熱交換手段とを備え、前記除湿体は、放湿部と吸湿部からなる除湿ロータを回動自在にロータケース内に設け、前記除湿ロータは、円環状の外周枠部材と、この外周枠部材内に設けた円盤状のロータと、この中心部分に設けた円筒状の軸受け部と、この軸受け部と前記外周枠部材に前記ロータを押さえるごとく設けた押さえ部材とによる構成となっていた（例えば、これに類似する先行文献は下記特許文献１に記載されている。）。
【特許文献１】特開２００２−３２６０１２号公報
【発明の開示】
【発明が解決しようとする課題】
【０００４】
上記従来例における課題は、除湿能力をさらに高くするということであった。
【０００５】
すなわち、除湿装置は、その本体ケース内で、水分を除湿ロータの吸湿部で吸着し、次にこの除湿ロータを回動させることにより上記吸湿部を放湿部とし、この放湿部から水分を放出させ、これにより再度、除湿ロータの吸湿部で吸着による除湿動作が効果的に行えるようにしている。
【０００６】
さて、このように除湿動作として有効な除湿ロータは、ロータと、外周枠部材と、軸受け部と、押さえ部材との４つの部品から構成されている。
【０００７】
具体的には、ロータの外周には外周枠部材を、中心部には軸受け部を設け、ロータを外周枠部材および軸受け部と、押さえ部材によって挟み込んで保持し、押さえ部材の固定部で外周枠部材および軸受け部と固定されている。
【０００８】
このように、押さえ部材はロータを保持する保持部と固定部を有しているが、除湿ロータは回動するので、この押さえ部材は更に、除湿ロータの回動を円滑にするために案内する案内部を有している。すなわち、押さえ部材の面積は、ロータを保持する保持部と固定部の面積と、更に除湿ロータの回動を円滑にするために案内部の面積を有しているので、押さえ部材の面積が大きくなり、すなわち、除湿ロータの通気構造の通気孔を覆う面積も大きくなるので、結果として通気面積が小さくなり、除湿能力をさらに高くするということができないものであった。
【０００９】
そこで本発明は、除湿能力をさらに高くすることを目的とするものである。
【課題を解決するための手段】
【００１０】
そしてこの目的を達成するために本発明は、吸気口と排気口を有する本体ケースと、この本体ケース内に設けられた除湿体と熱交換手段とを備え、前記除湿体は、放湿部と吸湿部からなる除湿ロータを回動自在にロータケース内に設け、前記除湿ロータは、円環状の外周枠部材と、この外周枠部材内に設けた円盤状のロータと、この中心部分に設けた円筒状の軸受け部と、この軸受け部と前記外周枠部材に前記ロータを押さえるごとく設けた押さえ部材とより構成し、前記除湿ロータの回転時に、前記押さえ部材の前記外周枠部材への固定部近傍と、前記軸受け部への固定部近傍の少なくとも一方は、これら両固定部間の前記押さえ部材よりも早く、前記ロータケースの前記放湿部と前記吸湿部とを仕切る仕切り部に接触させ、これにより、初期の目的を達成するものである。
【発明の効果】
【００１１】
以上のように本発明は、吸気口と排気口を有する本体ケースと、この本体ケース内に設けられた除湿体と熱交換手段とを備え、前記除湿体は、放湿部と吸湿部からなる除湿ロータを回動自在にロータケース内に設け、前記除湿ロータは、円環状の外周枠部材と、この外周枠部材内に設けた円盤状のロータと、この中心部分に設けた円筒状の軸受け部と、この軸受け部と前記外周枠部材に前記ロータを押さえるごとく設けた押さえ部材とより構成し、前記除湿ロータの回転時に、前記押さえ部材の前記外周枠部材への固定部近傍と、前記軸受け部への固定部近傍の少なくとも一方は、これら両固定部間の前記押さえ部材よりも早く、前記ロータケースの前記放湿部と前記吸湿部とを仕切る仕切り部に接触させるものであり、その除湿能力をさらに高めることができるものである。
【００１２】
すなわち、押さえ部材には外周枠部材と軸受け部に固定される固定部があり、ロータを外周枠部材および軸受け部と、押さえ部材によって挟み込んで保持部で保持し、押さえ部材の固定部で外周枠部材および軸受け部と固定している。このように、押さえ部材は保持部と固定部を有している。
【００１３】
そして、除湿ロータは、ロータケースの前記放湿部の風下側に設けられた放湿通風孔と吸湿通風孔とを仕切る仕切り部に、押さえ部材の固定部の近傍が最初に接触し、次に保持部が接触しながら回転する。
【００１４】
それによって、押さえ部材での固定部の近傍は、外周枠部材と軸受け部に固定されているため、ロータに密着しており、放湿通風孔と吸湿通風孔とを仕切る仕切り部に引っかかることなく、円滑に除湿ロータは回転する。
【００１５】
すなわち、押さえ部材は、ロータを保持する部分と固定部で、除湿ロータの回動を円滑に行うため、別に除湿ロータの回動を円滑にするための案内する部分が不要となる。よって、押さえ部材の面積は、ロータを保持する保持部と固定部するための面積だけとなり、押さえ部材の面積を小さくすることができる。すなわち、除湿ロータの通気構造の通気孔を覆う面積が小さくなり、通気面積が大きくなり、その結果として除湿能力をさらに高くするということができるものである。
【発明を実施するための最良の形態】
【００１６】
以下に、本発明の実施形態について、図面を参照しながら説明する。
【００１７】
（実施の形態１）
図１〜２に示すように、吸気口１と排気口２を有する本体ケース３と、この本体ケース３内には、除湿体４と熱交換手段である熱交換器５を備えている。この除湿体４は、放湿部６と吸湿部７からなる除湿ロータ８を回動自在にロータケース９内に設けられ、このロータケース９は放湿部６に放湿通風孔１０と、吸湿部７に吸湿通風孔１１とを備えている。
【００１８】
また、本体ケース３内には、送風手段と循環送風手段を設けている。送風手段である送風機１２は、吸気口１から、吸湿部７と熱交換器５を別経路で介し、排気口２へと送風し、循環送風手段である送風機１３は放湿部６と熱交換器５を循環送風するものである。この熱交換器５から放湿部６への循環送風される循環風路１４には、加熱手段１５を設けている。
【００１９】
次に除湿動作を説明する。室内の空気は、送風機１２により吸気口１から吸湿部７へ送られ、吸湿部７で水分を吸着され、除湿される。そして、除湿された空気は排気口２から室内へと送風される。また、除湿ロータ８が回転することにより、吸湿部７は放湿部６となり、次に、送風機１３により加熱手段１５で加熱された空気が放湿部６に送風されることにより、加熱された空気に除湿ロータ８で吸着した水分が放湿され、高温高湿の空気となる。その高温高湿の空気が熱交換器５に送風される。また、同時に別経路で、熱交換器５には、送風機１２により吸気口１から室内の空気が送風される。これにより、熱交換器５で、高温高湿の空気が室内の空気により冷やされ、熱交換器５で結露することにより、除湿されるものである。
【００２０】
本実施の形態において特徴は、除湿ロータ８の構造にある。図３に示すように、この除湿ロータ８は、円盤状のロータ１７と、このロータ１７の外周には円環状で片側の端面内側にフランジを備えた外周枠部材１６と、中心部には円筒状で片側の端面外側にフランジを備えた軸受け部１８と、外周枠部材１６と軸受け部の間に複数の押さえ部材１９を設けている。
【００２１】
そして、この押さえ部材１９は、直線状の板金である保持部２０の一端に外周枠部材１６との固定部である外周枠固定部２１と、他端に軸受け部１８との固定部である軸受け固定部２２とを備えている。
【００２２】
すなわち、ロータ１７は外周枠部材１６の端面内側のフランジ２３および軸受け部１８の端面外側のフランジ２４と、押さえ部材１９の保持部２０により挟まれ、外周枠固定部２１および軸受け固定部２２により固定されている。
【００２３】
そこで、押さえ部材１９の直線状の板金である保持部２０の長手方向の中心線２５は除湿ロータの中心２６から所定の距離を有している。
【００２４】
具体的には、押さえ部材１９は、ロータ１７の中心部の軸受け部１８と固定された軸受け固定部２２から半径方向に所定の距離を有し、回転方向とは逆向きで、接線方向に保持部２０が延び、その先にＬ字に曲げられた外周枠固定部２１で外周枠部材１６と固定されている。
【００２５】
これにより、除湿ロータ８の回転時に、ロータケース９の放湿部６の風下側に設けられた中心から半径方向に延びた２本の仕切り部２７に、除湿ロータ８の中心部分である軸受け固定部２２の近傍が最初に接触し、保持部２０に接触しながら、徐々に中心部分から外周部分の外周枠固定部２１の近傍に接触することとなる。
【００２６】
すなわち、除湿ロータ８の回転時に、ロータケース９の放湿部６の風下側に設けられた放湿通風孔１０と吸湿通風孔１１とを仕切る２本の仕切り部２７に、押さえ部材１９の軸受け固定部２２の近傍を最初に接触させる。これにより、保持部２０がロータ１７から浮く場合にも、押さえ部材１９での軸受け固定部２２の近傍は、軸受け部１８に固定されているため、ロータ１７に密着しており、２本の仕切り部２７に引っかかることなく、円滑に除湿ロータ８は回転する。
【００２７】
よって、押さえ部材１９は、保持部２０と軸受け固定部２２と外周枠固定部２１で除湿ロータの回動を円滑に行うため、除湿ロータの回動を円滑にするための案内する部分が不要となり、押さえ部材１９の面積を小さくすることができる。
【００２８】
（実施の形態２）
図４は、本発明の実施の形態２における除湿ロータの斜視図である。図４に示すように、押さえ部材１９ａは、板材である保持部２０ａの両端に外周枠部材１６との固定部である外周枠固定部２１と、軸受け部１８との固定部である軸受け固定部２２とを備え、この保持部２０ａは凹状に湾曲した形状である。すなわち、押さえ部材１９ａは凹状に湾曲している両端を先頭に回転するように除湿ロータ８に固定されたものである。
【００２９】
これにより、除湿ロータ８は、ロータケース９の放湿部の風下側に設けられた中心から半径方向に延びた２本の仕切り部２７に、中心部分である軸受け部１８の近傍と、外周部分である外周枠固定部２１の近傍が最初に接触し、徐々に中心部分と外周部分から、保持部２０ａと接触しながら、中心部分と外周部分の中間部分へ接触するように回転する。
【００３０】
それによって、保持部２０ａがロータ１７から浮く場合にも、押さえ部材１９ａでの軸受け固定部２２の近傍は軸受け部１８に、外周枠固定部２１の近傍は外周枠固定部２１に固定されているため、ロータ１７に密着しており、２本の仕切り部２７に引っかかることなく、円滑に除湿ロータ８は回転する。
【００３１】
すなわち、押さえ部材は、保持部２０と軸受け固定部２２と外周枠固定部２１で除湿ロータの回動を円滑に行うため、除湿ロータの回動を円滑にするための案内する部分が不要となり、押さえ部材１９の面積を小さくすることができる。
【００３２】
また、本実施形態において、押さえ部材１９ａは回転方向に対して凹状に湾曲した形状としている。この理由は、熱等によって保持部２０ａがロータ１７から浮く場合にも、保持部２０ａは凹状に湾曲しているので、凹面側が凸面側より短くなり、凸面側より凹面側の浮きが小さくなる。よって、仕切り部２７に浮きが小さい凹面側から接触することとなり、より円滑に除湿ロータ８を回転できるからである。
【００３３】
（実施の形態３）
本発明の実施の形態３における除湿装置を図面を参照しながら説明する。図５〜６に示すように、吸気口３０と排気口３１を有する本体ケース３２と、本体ケース３２内に設けられたヒートポンプ３３とを備えている。このヒートポンプ３３は、圧縮機３４と、この圧縮機３４の下流に順次設けた放熱器３５、膨張手段３６、吸熱器３７とにより形成し、吸気口３０から本体ケース３２内に吸気した空気を放熱器３５、吸熱器３７を順次介して排気口３１へと送風する送風手段３８を設けると共に、放熱器３５と吸熱器３７の間に除湿体４１を設けている。この除湿体４１は放湿部３９と吸湿部４０からなる除湿ロータ４２を回動自在にロータケース４９内に設けている。
【００３４】
次に除湿動作について説明する。室内の空気は吸気口３０から送風手段３８によって放熱器３５へ送風され、そこで加熱され相対湿度が低い状態となり、次に除湿ロータ４２の放湿部３９に送られる。そこで放湿された水分を含み相対湿度が高い状態となり、吸熱器３７へ送られ、結露させることにより、除湿されるものである。
【００３５】
本実施の形態において特徴は、除湿ロータ４２の構造にある。図７に示すように、押さえ部材４３は、中心部分に軸受け部４４との固定部である軸受け固定部４５と、両端に外周枠部材４６との固定部である外周枠固定部４７を備え、軸受け固定部４５から両端の外周枠固定部４７との間に直線状の板材である保持部４８を設けている。この保持部４８の長手方向の中心線５１が除湿ロータの中心５２から所定の距離を有した形状である。
【００３６】
具体的には、押さえ部材４３は、ロータ５７の中心部の軸受け部４４と固定された軸受け固定部４５から半径方向に所定の距離を有し、回転方向とは逆向きで、接線方向に保持部４８が２方向に、除湿ロータの中心５２から点対象に延び、その先にＬ字に曲げられた外周枠固定部４７で外周枠部材４６と固定されている。
【００３７】
これにより、除湿ロータ４２の回転時に、ロータケース４９の放湿部の風下側に設けられた中心から半径方向に延びた２本の仕切り部５０に、中心部分である軸受け固定部４５の近傍が最初に接触し、保持部４８に接触しながら、徐々に中心部分から外周部分である外周枠固定部４７の近傍へ接触することとなる。
【００３８】
すなわち、除湿ロータ４２の回転時に、ロータケース４９の放湿部の風下側に設けられた放湿通風孔５５と吸湿通風孔５６とを仕切る２本の仕切り部５０に、押さえ部材４３の軸受け固定部４５の近傍を最初に接触させる。これにより、保持部４８がロータ５７から浮く場合にも、押さえ部材４３での軸受け固定部４５の近傍は、軸受け部４４に固定されているため、ロータ５７に密着しており、２本の仕切り部５０に引っかかることなく、円滑に除湿ロータ４２は回転する。
【００３９】
すなわち、押さえ部材１９は、保持部２０と軸受け固定部２２と外周枠固定部２１で除湿ロータの回動を円滑に行うため、除湿ロータの回動を円滑にするための案内する部分が不要となり、押さえ部材１９の面積を小さくすることができる。
【００４０】
また、本実施形態において、押さえ部材４３は、中心部分に軸受け部４４との軸受け固定部４５を、両端に外周枠部材４６との外周枠固定部４７を備え、軸受け固定部４５から両端の外周枠固定部４７との間に直線状の板材である保持部４８を設けている。この理由は、押さえ部材４３は１個で、軸受け部４４と１ヶ箇所、外周枠部材４６と２ヶ所の合計３箇所を固定することができるので、押さえ部材４３を複数使用しなくても、確実にロータ５７を軸受け部４４および外周枠部材４６と、押さえ部材４３とで挟み込み固定することができるため、除湿ロータ４２の組立作業が容易にできるからである。
【００４１】
（実施の形態４）
図８は、本発明の実施の形態４における除湿ロータの斜視図である。図８に示すように、押さえ部材４３ａは、中心部分に軸受け部４４との固定部である軸受け固定部４５を、両端に外周枠部材４６との固定部である外周枠固定部４７を備え、軸受け固定部４５から両端の外周枠固定部４７との間に板材である保持部４８ａを設け、この保持部４８ａはそれぞれ凹状に湾曲した形状である。すなわち、押さえ部材４３ａは凹状に湾曲している両端を先頭に回転するように除湿ロータ８に固定されたものである。
【００４２】
ここで、押さえ部材４３ａと外周枠部材４６は、外周外側から中心方向に向かってねじ５３によって外周枠固定部４７で固定されている。更に、このねじ５３の先端部分がロータ４２に入り込んでいる。
【００４３】
また、押さえ部材４３ａと軸受け部４４は、ねじ５４によって固定され、このねじ５４と押さえ部材４３ａの材質はステンレスである。
【００４４】
なお、押さえ部材４３ａの材質は、ステンレスのばね材であってもよい。
【００４５】
これにより、除湿ロータ４２は、ロータケース４９の放湿部の風下側に設けられた中心から半径方向に延びた２本の仕切り部５０に、中心部分である軸受け固定部４５近傍と外周部分である外周枠固定部４７が最初に接触し、徐々に中心部分と外周部分から中心部分と外周部分の中間部分へ接触するように回転する。
【００４６】
それによって、保持部４８ａがロータ５７から浮く場合にも、押さえ部材４３ａでの軸受け固定部４５の近傍は軸受け部４４に、外周枠固定部４７の近傍は外周枠固定部４７に固定されているため、ロータ５７に密着しており、２本の仕切り部５０に引っかかることなく、円滑に除湿ロータ４２は回転する。
【００４７】
すなわち、押さえ部材は、保持部４８ａと軸受け固定部４５と外周枠固定部４７で除湿ロータ４２の回動を円滑に行うため、除湿ロータの回動を円滑にするための案内する部分が不要となり、押さえ部材４３ａの面積を小さくすることができる。
【００４８】
また、本実施の形態において、押さえ部材４３ａは回転方向に対して凹状に湾曲した形状としている。この理由は、熱等によって保持部４８ａがロータ５７から浮く場合にも、保持部４８ａは凹状に湾曲しているので、凹面側が凸面側より短くなり、凸面側より凹面側の浮きが小さくなる。よって、仕切り部５０に浮きが小さい凹面側から接触することとなり、より円滑に除湿ロータ４２を回転できるからである。
【００４９】
また、本実施の形態において、押さえ部材４３ａは、中心部分に軸受け部４４との軸受け固定部４５を、両端に外周枠部材４６との外周枠固定部４７を備え、軸受け固定部４５から両端の外周枠固定部４７との間に湾曲状の板材である保持部４８ａを設けている。この理由は、押さえ部材４３ａは１個で、軸受け部４４と１ヶ箇所、外周枠部材４６と２ヶ所の合計３箇所を固定することができるので、押さえ部材４３を複数使用しなくても、確実にロータ５７を軸受け部４４および外周枠部材４６と、押さえ部材４３ａとで挟み込み固定することができるため、外周枠部材４６の組立作業が容易にできるからである。
【００５０】
また、本実施の形態において、押さえ部材４３ａは、外周枠部材４６の外周外側から中心方向に向かってねじ５３によって固定され、このねじ５３の先端部分がロータに入り込んでいる。この理由は、ねじ５３によって押さえ部材４３ａと外周枠部材４６を固定するだけでなく、ロータ５７と外周枠部材４６とが、除湿ロータ４２回転時にずれないように固定できるからである。
【００５１】
また、本実施の形態において、押さえ部材４３ａは、軸受け部４４にねじ５４によって固定され、このねじ５４と押さえ部材４３ａの材質はステンレスである。この理由は、ロータ５７から放出される水分によって錆の発生を抑制することができるからである。
【００５２】
なお、また、本実施形態において、押さえ部材４３ａの材質は、ステンレスのばね材であってもよい。ステンレスのばね材の１例であるＳＵＳ３０１にすることにより、押さえ部材４３ａを組立作業時に、不用意に曲げても、ばね材なので、簡単に曲がってしまうことがなく、ロータ５７との隙間の原因になることを抑制できるからである。
【産業上の利用可能性】
【００５３】
以上のように本発明は、吸気口と排気口を有する本体ケースと、この本体ケース内に設けられた除湿体と熱交換手段とを備え、前記除湿体は、放湿部と吸湿部からなる除湿ロータを回動自在にロータケース内に設け、前記除湿ロータは、円環状の外周枠部材と、この外周枠部材内に設けた円盤状のロータと、この中心部分に設けた円筒状の軸受け部と、この軸受け部と前記外周枠部材に前記ロータを押さえるごとく設けた押さえ部材とより構成し、前記除湿ロータの回転時に、前記押さえ部材の前記外周枠部材への固定部近傍と、前記軸受け部への固定部近傍の少なくとも一方は、これら両固定部間の前記押さえ部材よりも早く、前記ロータケースの前記放湿部と前記吸湿部とを仕切る仕切り部に接触させるものであり、除湿能力をさらに高めることができるものである。
【００５４】
すなわち、押さえ部材には外周枠部材と軸受け部に固定される固定部があり、ロータを外周枠部材および軸受け部と、押さえ部材によって挟み込んで保持部で保持し、押さえ部材の固定部で外周枠部材および軸受け部と固定している。このように、押さえ部材は保持部と固定部を有している。
【００５５】
そして、除湿ロータは、ロータケースの前記放湿部の風下側に設けられた放湿通風孔と吸湿通風孔とを仕切る２本の仕切り部に、押さえ部材の固定部の近傍が最初に接触し、次に保持部が接触しながら回転する。
【００５６】
それによって、押さえ部材での固定部の近傍は、外周枠部材と軸受け部に固定されているため、ロータに密着しており、放湿通風孔と吸湿通風孔とを仕切る仕切り部に引っかかることなく、円滑に除湿ロータは回転する。
【００５７】
すなわち、押さえ部材は、ロータを保持する部分と固定部で、除湿ロータの回動を円滑に行うため、別に除湿ロータの回動を円滑にするための案内する部分が不要となる。よって、押さえ部材の面積は、ロータを保持する保持部と固定部するための面積だけとなり、押さえ部材の面積を小さくすることができる。すなわち、除湿ロータの通気構造の通気孔を覆う面積が小さくなり、通気面積が大きくなり、その結果として前記除湿ロータをスムーズな回転を維持しつつ除湿効果が高くなるものである。
【００５８】
従って、家庭用や事務所用などの、除湿装置として活用が期待されるものである。
【図面の簡単な説明】
【００５９】
【図１】本発明の実施の形態１の除湿装置の断面図
【図２】同除湿装置を示す分解図
【図３】同除湿装置の除湿ロータを示す図（（ａ）除湿ロータを示す斜視図、（ｂ）除湿ロータを示す断面図）
【図４】本発明の実施の形態２の除湿装置の除湿ロータを示す図
【図５】本発明の実施の形態３の除湿装置の断面図
【図６】同除湿装置を示す分解図
【図７】同除湿装置の除湿ロータを示す図
【図８】本発明の実施の形態４の除湿装置の除湿ロータを示す図
【符号の説明】
【００６０】
１      吸気口
２      排気口
３      本体ケース
４      除湿体
５      熱交換器
６      放湿部
７      吸湿部
８      除湿ロータ
９      ロータケース
１０    放湿通風孔
１１    吸湿通風孔
１２    送風機
１３    送風機
１４    循環風路
１５    加熱手段
１６    外周枠部材
１７    ロータ
１８    軸受け部
１９    押さえ部材
１９ａ  押さえ部材
２０    保持部
２０ａ  保持部
２１    外周枠固定部
２２    軸受け固定部
２３    フランジ
２４    フランジ
２５    中心線
２６    中心
２７    仕切り部
３０    吸気口
３１    排気口
３２    本体ケース
３３    ヒートポンプ
３４    圧縮機
３５    放熱器
３６    膨張手段
３７    吸熱器
３８    送風手段
３９    放湿部
４０    吸湿部
４１    除湿体
４２    除湿ロータ
４３    押さえ部材
４３ａ  押さえ部材
４４    軸受け部
４５    軸受け固定部
４６    外周枠部材
４７    外周枠固定部
４８    保持部
４８ａ  保持部
４９    ロータケース
５０    仕切り部
５１    中心線
５２    中心
５３    ねじ
５４    ねじ
５５    放湿通風孔
５６    吸湿通風孔
５７    ロータ
【図１】
2009240937.tif 000003
【図２】
2009240937.tif 000004
【図３】
2009240937.tif 000005
【図４】
2009240937.tif 000006
【図５】
2009240937.tif 000007
【図６】
2009240937.tif 000008
【図７】
2009240937.tif 000009
【図８】
2009240937.tif 000010